(57)【要約】【課題】紙葉類の取り扱いを良好なものとしつつ且つ紙葉類を確実に保護し得る書類ホルダを提供する。【解決手段】本発明に係る書類ホルダ１は、書類Ｐを背面側から支持する裏表紙２と、この裏表紙２との間で書類Ｐを挟持し得るように配される表表紙３と、この表表紙３の所定箇所３４に形成された開口又はスリットの一態様たる貫通孔要素４０である表出窓４と、この表出窓４を正面側から開閉可能に覆うカバーたるストッパ５とを具備することを特徴とする。【選択図】図６
2017226092.tif 000002
【特許請求の範囲】
【請求項１】
紙葉類を背面側から支持する裏表紙と、
この裏表紙との間で紙葉類を挟持し得るように配される表表紙と、
この表表紙の所定箇所に形成された貫通孔要素である開口又はスリットと、
この開口又はスリットを正面側から開閉可能に覆うカバーと
を具備することを特徴とする書類ホルダ。
【請求項２】
前記カバーが、前記裏表紙に取り付けられたものであり前記表表紙を前記カバーと前記裏表紙との間に差し込むことによって前記開口又はスリットが覆われるものである請求項１記載の書類ホルダ。
【請求項３】
前記カバーが、前記表表紙及び前記紙葉類の前記裏表紙に対するずれを防ぎ得るストッパとして機能するものである請求項１又は２記載の書類ホルダ。
【請求項４】
カバーが、前記裏表紙における前記表表紙に対し接離可能な連続する二辺に亘って固定されている請求項３記載の書類ホルダ。
【請求項５】
前記カバーが、表表紙に設けられている請求項１記載の書類ホルダ。
【請求項６】
前記カバーが、前記表出窓から表出した付箋の反止着端を抑え得るように構成されている請求項１記載の書類ホルダ。
【請求項７】
前記表表紙が、不透明な素材により構成される請求項１〜６の何れかに記載の書類ホルダ。
【発明の詳細な説明】
【技術分野】
【０００１】
この発明は、紙葉類を収容、保管することができる書類ホルダに関する。
【背景技術】
【０００２】
従来、主に合成樹脂製シートといったシート状の素材により構成され、表表紙と裏表紙との間に紙葉類を収容可能に構成された書類ホルダが周知である。斯かる書類ホルダに該当するものとしては、外方から紙葉類に記載された内容を視認し得る透明の合成樹脂製シートからなる、所謂クリヤーホルダと称されるものが挙げられる。また一方、斯かるクリヤーホルダとは全く異なる用途で使用されるものとして、特許文献１に開示されているような書類ホルダも周知である。
【０００３】
この特許文献１に記載されている書類ホルダは、主に確定申告書類のような個人情報が記されている紙葉類を保管するために設けられたものである。すなわち特許文献１に記載の書類ホルダは、少なくとも表表紙及びを不透明の素材或いは色彩により構成して収容している紙葉類の記載内容を殆ど視認し得ないようにしつつ、表表紙又は裏表紙の一部に横長の孔を形成することにより、確定申告書類の氏名欄のみを外方から視認することを目的としたものである。
【０００４】
また、特許文献１に記載のものも含め、上述したような表表紙及び裏表紙を有する書類ホルダにおいて一部に孔を形成することは、視認が可能となるのみならず、手指や筆記具によるアクセスも可能となるということにも繋がる。よって設ける孔の形状如何によっては孔を介して手指で紙葉類を操作して書類ホルダからの紙葉類の取り出しを容易なものとしたり、孔を介して筆記具等により紙葉類に記載を施すということも考えられる。
【先行技術文献】
【特許文献】
【０００５】
【特許文献１】特開２０１２−９１４２６号公報
【発明の概要】
【発明が解決しようとする課題】
【０００６】
しかしながら、書類ホルダの一部に孔を設けるということは、当該孔を介して書類等が書類ホルダの外部からの何らかの接触により不要な汚れが付いたり破れてしまったりしてしまうという可能性が有ることを意味する。つまり、書類ホルダによって収容しようとする紙葉類の種類によっては、上記の可能性は、紙葉類の管理上、重大な不具合に繋がってしまう場合がある。
【０００７】
本発明は、紙葉類の取り扱いを良好なものとしつつ且つ紙葉類を確実に保護し得る書類ホルダを提供する。
【課題を解決するための手段】
【０００８】
すなわち、本発明に係る書類ホルダは、紙葉類を背面側から支持する裏表紙と、この裏表紙との間で紙葉類を挟持し得るように配される表表紙と、この表表紙の所定箇所に形成された貫通孔要素である開口又はスリットと、この開口又はスリットを正面側から開閉可能に覆うカバーとを具備することを特徴とする。
【０００９】
ここで「開閉可能に」とは、カバーの動作によって開口又はスリットが露出及び被覆され得ることによる開閉可能という意味に限られない。すなわち本明細書における「開閉可能」とは、表表紙の撓みやスライド動作によってカバーから開口又はスリットが露出及び被覆され得ることにより開閉可能に構成される態様、またカバー及び開口又はスリット双方の相対動作によりカバーから開口又はスリットが露出及び被覆され得ることにより開閉可能に構成される態様をも含まれる概念である。
【００１０】
このようなものであれば、開口又はスリットから表出した紙葉類の一部がカバーによって有効に保護することができ、且つ所要のときのみ紙葉類の一部を表出させることができる。これにより、開口又はスリットから表出した紙葉類の一部が外方からの衝撃や汚れにより破損や汚損してしまうことを有効に回避することができる。すなわち本発明によれば、紙葉類の取り扱いを良好なものとしつつ且つ紙葉類を確実に保護し得る書類ホルダを提供することができる。
【００１１】
また、カバーがより確実に紙葉類を保護し得るように構成するためには、カバーを裏表紙に取り付けられたものとし、表表紙をカバーと裏表紙との間に差し込むことによって開口又はスリットが覆われるようにすることが望ましい。
【００１２】
また、収容されている紙葉類が不意に脱落しないように確実に位置決めし得るようにするためには、カバーを、表表紙及び紙葉類の裏表紙に対するずれを防ぎ得るストッパとして機能するものとすることが望ましい。
【００１３】
特に、紙葉類の位置決めを確実に行い得るようなカバーの配置態様の一例として、カバーが、前記裏表紙における前記表表紙に対し接離可能な連続する二辺に亘って固定されている態様を挙げることができる。
【００１４】
また、カバーを簡素な構成により容易に設け得るようにするためには、カバーを、表表紙に設けるようにしても良い。
【００１５】
また、カバーを、表出窓から表出した付箋の反止着端を抑え得るように構成すれば、紙葉類の有効な保護のみならず、好適な管理にも資するものとなる。
【００１６】
そして紙葉類に記された記載内容を外部から視認することを抑止して紙葉類の管理を好適に行い得るようにするためには、表表紙を不透明な素材により構成することが望ましい。
【発明の効果】
【００１７】
本発明は、以上説明した構成であるから、紙葉類の取り扱いを良好なものとしつつ且つ紙葉類を確実に保護し得る書類ホルダを提供することができる。
【図面の簡単な説明】
【００１８】
【図１】本発明の一実施形態に係る外観図。
【図２】同正面図。
【図３】同背面図。
【図４】同実施形態に係る要部の外観図。
【図５】図実施形態に係る動作説明図。
【図６】図実施形態に係る要部の正面図。
【図７】同実施形態に係る作用説明図。
【図８】同実施形態の変形例に係る要部の正面図。
【図９】同上。
【図１０】同上。
【発明を実施するための形態】
【００１９】
以下、本発明の一実施形態を、図面を参照して説明する。
【００２０】
本実施形態に係る書類ホルダ１は、セキュリティホルダとも称されるものであり、図１〜図７に示すように、収容物としての矩形状をなす紙葉類たる書類Ｐをその記載内容Ｐ１が外方から略視認し得ない状態として収容、保管するためのものである。このような書類ホルダ１を用いることにより、書類Ｐが例えば個人情報等が記載された文書であった場合でも、当該書類Ｐのヘッダ部分に記載されているマイナンバー等の識別番号を示すナンバーＰ２（図５〜図７）や捺印Ｐ３（図５〜図７）等の重要な情報が好適に隠蔽された状態で収容、保管することができる。
【００２１】
ここで、本実施形態に係る書類ホルダ１は、書類Ｐを背面側から支持する裏表紙２と、この裏表紙２との間で書類Ｐを挟持し得るように配される表表紙３と、この表表紙３の所定箇所３４に形成された開口又はスリットの一態様たる貫通孔要素４０である表出窓４と、この表出窓４を正面側から開閉可能に覆うカバーたるストッパ５とを具備することを特徴とする。
【００２２】
以下、本実施形態に係る書類ホルダ１の具体的な構成について説明する。
【００２３】
書類ホルダ１は、主に可撓性を有する不透明に構成されたシート素材を適宜折り曲げ並びに溶着することにより形成された裏表紙２及び表表紙３を主体としたものである。具体的には、当該書類ホルダ１は、裏表紙２及び表表紙３が連続する二辺を開放させるように他の辺を接合させてなる概略矩形状をなすものである。当該裏表紙２及び表表紙３を形成している素材は、本実施形態では外方に面する一面にシボ加工を施した例えばポリプロピレンといった樹脂性のシート素材であるが勿論、ポリエチレンやポリエチレンテレフタレートといった他の樹脂素材、或いは紙素材を用いてもよい。更には裏表紙２を表表紙３とは異なる素材としても良い。
【００２４】
この書類ホルダ１は、連続する二辺を開放し他の二辺を接合させるべく、上端側において裏表紙２及び表表紙３が全域に亘って接離可能に構成される開放上縁１ａと、この開放上縁１ａに対向する端部において樹脂素材を折り返すことによって形成し底縁１ｂと、これら開放上縁１ａ及び底縁１ｂの一側端を帯状に溶着させることにより接合させた溶着側縁１ｃと、この溶着側縁１ｃに対向する端部において裏表紙２及び表表紙３が略全域に亘って接離可能に構成される開放側縁１ｄとを有している。また本実施形態ではこの書類ホルダ１は、開放側縁１ｄの底縁１ｂよりの一定の領域に、表表紙３を構成する樹脂素材の膨出部分を裏表紙２に溶着することによって形成されたこぼれ止め１ｅと、溶着側縁１ｃに上下方向に等間隔に例えば四箇所に穿たれた開口である綴じ穴１ｈとを更に有している。このこぼれ止め１ｅを設けることにより、裏表紙２及び表表紙３に単に挟まれただけの書類Ｐであっても容易に開放側縁１ｄ側から脱落してしまうことはない。また本実施形態では、綴じ穴１ｈとして、一般的な四穴或いは二穴構造をなす綴じ具を配したバインダー等に好適に綴じられ得るように構成している。しかし当該綴じ穴１ｈの有無及びその数は、書類ホルダ１の保管態様や収容する書類Ｐの如何によって適宜の構成とし得る。換言すればバインダーに綴じる目的がなければ当該綴じ穴１ｈは必要無い。また綴じ穴１ｈの数をさらに増加させることにより、例えばクリヤーブック替え紙と称されるようなものの如く汎用性が高い別異の態様を採ることもできる。
【００２５】
加えて本実施形態に係る書類ホルダ１は裏表紙２側において表表紙３及び書類Ｐを挟み得るストッパ５と、表表紙３側に穿たれた表出窓４とを更に有している。これらストッパ５及び表出窓４については後に説明する。
【００２６】
裏表紙２は、書類Ｐを背面側から支持するべく矩形状をなすものであり、表表紙３に対面する側の面の略全域に書類Ｐすなわち書類Ｐを支持するための書類支持面２１を有している。また本実施形態ではこの裏表紙２は、開放上縁１ａ及び開放側縁１ｄに臨む領域に、上述したストッパ５を取り付けるためのストッパ取付部２２を有している。
【００２７】
表表紙３は、裏表紙２の外形に対応した略矩形状をなすものであり、表面を不透明に構成した不透明面３１と、開放上縁１ａ及び開放側縁１ｄに臨む領域において樹脂素材を正面視若干凹ませて形成された退避縁３２と、こぼれ止め１ｅ近傍において概略三角形状に樹脂素材を凹ませて形成した凹部３３とを有している。本実施形態では図１、図２及び図４に示すように退避縁３２が形成されることで裏表紙２のストッパ取付部２２及びストッパ５の一部が正面側に露出する。また凹部３３が形成されることで表表紙３におけるこぼれ止め１ｅ近傍の表表紙３の可撓変形が促されるとともに、使用者にとっては裏表紙２と表表紙３とを厚み方向に離間させるべく裏表紙２、表表紙３間に手指が挿入し易くなっている。そして本実施形態では、この表表紙３は、開放上縁１ａ及び開放側縁１ｄといった二辺が連続する箇所近傍を、収容しようとする書類Ｐの記載内容Ｐ１に対応して設定された所定領域３４としている。本実施形態ではこの所定領域３４が重層される書類Ｐの一部分に、その書類Ｐの記載内容Ｐ１の中でも重要な部分が配されているからである。
【００２８】
表出窓４は、上述した表表紙３の所定箇所３４に形成された開口またはスリットの一態様である貫通孔要素４０からなるものである。本実施形態では、表出窓４は、複数の孔たる貫通孔要素４０を集合させて設けたものである。具体的には、貫通孔要素４０は、開放上縁１ａから開放側縁１ｄに向けて傾斜方向に延出する傾斜長孔４１と傾斜短孔４２とを有している。これら傾斜長孔４１及び傾斜短孔４２は、それぞれ同方向に延出する延出縁４０ａを有している。すなわちこれら集合している複数の孔は互いに平行するように延出した形状をなしている。また本実施形態では上述の通り、可撓性を有する表表紙３が撓みやすい方向は、開放上縁１ａ及び開放側縁１ｄといった二辺がなす各から延びる対角線方向である。すなわち当該傾斜長孔４１及び傾斜短孔４２は、表表紙３を撓ませることにより書類Ｐに対して摺動させ得る方向と交差する方向に延びる形状をなすものである。
【００２９】
ストッパ５は、表表紙３及び裏表紙２を構成している樹脂素材とは別体に構成されたシート状をなす透明樹脂素材からなるものである。具体的に説明するとこのストッパ５は、表表紙３及び書類Ｐの裏表紙２に対するずれを防ぎ得るように機能するものである。併せてストッパ５は、本実施形態では表出窓４を正面側から開閉可能に覆うカバーとしての役割をも兼ねて担うものである。このストッパ５は、本実施形態では裏表紙２に取り付けられたものであり表表紙３をカバーと裏表紙２との間に差し込むことによって表表紙３及び書類Ｐの裏表紙２に対するずれを防ぎ得る。
【００３０】
ストッパ５は具体的に説明すると、正面視台形状をなす透明シート５１と、この透明シート５１の傾斜辺に該当する部分において裏表紙２に溶着された裏側溶着部５２とを有している。そして透明シート５１は、裏面側に、表表紙３及び書類Ｐを押さえ得る押さえ面５４を有している。このストッパ５は、裏表紙２における表表紙３に対し接離可能な連続する二辺、すなわち書類ホルダ１における開放上縁１ａ及び開放側縁１ｄに亘って固定されている。そしてこのストッパ５は、書類ホルダ１における開放させた二辺の角部分に、書類Ｐを挟持した状態で裏表紙２及び表表紙３を重ねた状態で位置決めすることで、表表紙３及び書類Ｐの裏表紙２に対するずれを防ぎ得るように機能する。すなわち当該ストッパ５は上述した表表紙３の所定箇所３４にある表出窓４を被覆し得る位置に設けられる。
【００３１】
その結果、本実施形態ではストッパ５は上述の通り透明シート５１を主体としている。そのため、透明シート５１が被覆している表出窓４及び当該表出窓４内に位置する書類Ｐの記載内容Ｐ１の一部を外方から視認可能である。しかしながら表出窓４を通して視認される一部の記載内容Ｐ１からでは、通常外方から見る者は当該記載内容Ｐ１を判読できない。
【００３２】
ここで、本実施形態に係る書類ホルダ１は、開口またはスリットの一態様である表出窓４を設けることにより、表表紙３の一部を撓ませることにより貫通孔要素４０を書類Ｐに対し摺動させたときに書類Ｐの記載内容Ｐ１が判読され得るように構成されたものとしている。以下、表出窓４と書類Ｐの記載内容Ｐ１との関係を中心に本実施形態の動作並びに作用について説明する。
【００３３】
ここで本実施形態にて書類ホルダ１が収容する書類Ｐについて説明する。この書類Ｐが有している記載内容Ｐ１は、例えば当該書類Ｐの特定の個人情報が記載されている類いのものである。そしてその記載内容Ｐ１の一部として、書類Ｐの右上隅部分には、特定の個人の情報に関連するナンバーＰ２や、当該個人或いは他の責任者による捺印Ｐ３が記されている。つまりこの書類Ｐは、予め記載内容Ｐ１として上記ナンバーＰ２を記載するためのナンバー記載欄Ｐ４と、捺印Ｐ３を押印する箇所を示すための捺印欄Ｐ５とを有しており、少なくとも当該ナンバー記載欄Ｐ４及び捺印欄Ｐ５とによって示された箇所にナンバーＰ２や捺印Ｐ３が記されたものが、本実施形態に係る書類ホルダ１に保管される。
【００３４】
まず図５は、ストッパ５を用いて表表紙３及び書類Ｐを裏表紙２に位置決めする動作を行う途中の態様を図示したものである。ストッパ５を用いて表表紙３及び書類Ｐを位置決めする際、まず同図に示すように表表紙３を大きく撓ませることにより所定領域３４及び退避縁３２を書類ホルダ１の中心へ向けて大きく退避させ、しかる後、同図に示した状態から退避縁３２をストッパ５の押さえ面５４より下側へもぐらせるように差込み、図６に示す状態とする。
【００３５】
そして図６はストッパ５を用いて表表紙３及び書類Ｐをストッパ５の押さえ面５４と裏表紙２の書類支持面２１との間に挟持させた状態を示している。当該状態においては、書類Ｐ及び表表紙３がストッパ５によって位置決めされているために、不意に書類Ｐが書類ホルダ１から脱落したり、表表紙３が書類Ｐから離間して記載内容Ｐ１の大部分が外方に露出したりしてしまうといった不具合は有効に回避されている。加えて上述の通り、表出窓４を通して視認される一部の記載内容Ｐ１からでは、ナンバーＰ２や捺印Ｐ３のごく一部しか外方から視認し得ないため外方から見る者は当該記載内容Ｐ１を判読できない。そして、同図に示す状態からさらに表表紙３を撓ませると、図７に示すように表出窓４は書類ホルダ１の中心へ向けた対角線方向に動作する。
【００３６】
図７は、例えば使用者の手指による操作により表表紙３を撓ませることで表出窓４の位置が書類Ｐに沿って摺動した状態を図示している。斯かる状態においては表出窓４の位置が書類Ｐから相対動作しているため、記載内容Ｐ１のナンバーＰ２や捺印Ｐ３は、図６に示す位置とは異なる位置が表出窓４を介して表出する。しかしながら依然として同図に示す状態においても、ナンバーＰ２や捺印Ｐ３のごく一部しか外方から視認し得ないため外方から見る者は当該記載内容Ｐ１を判読できない。しかしながら、この書類ホルダ１の使用者は、同図に示す状態によって表出窓４を介して視認される記載内容Ｐ１と、上記図６に示す状態によって表出窓４を介して視認される記載内容Ｐ１との両方の記載内容Ｐ１を記憶する。これにより表出窓４からナンバーＰ２や捺印Ｐ３を確認し得ないまでの一部しか視認できないにも関わらず使用者は表出窓４の位置の変化によってナンバーＰ２や捺印Ｐ３のうち表出窓４よりも大きい領域を認識することができる。その結果使用者は、書類Ｐの記載内容Ｐ１を表出窓４によって判読することができる。特に本実施形態では互いに平行する傾斜長孔４１と傾斜短孔４２とが表出窓４がずれる方向に交差する方向に延出しているため、少しの表出窓４のずれによってもより大きい面積で書類Ｐにおける多くの領域を新たに視認することができる。
【００３７】
更に本実施形態に係る書類ホルダ１は、上述した図６及び図７に示す状態において表出窓４の殆どの領域がカバーたるストッパ５によって覆われた状態となるので、表出窓４を介して表出している箇所は殆ど透明シート５１に保護された状態となっているので、図６及び図７に示す状態では表出窓４を介して書類Ｐが汚れたり、損傷されたりといった不具合は有効に回避されている。
【００３８】
以上のように、本実施形態に係る書類ホルダ１は、表出窓４を正面側から開閉可能に覆うカバーたるストッパ５を具備するものであるため、表出窓４から表出した紙葉類たる書類Ｐの一部がストッパ５によって有効に保護することができ、且つ所要のときのみ書類Ｐの一部を表出させるものとなっている。その結果、表出窓４から表出した書類Ｐの一部が外方からの衝撃や汚れにより破損や汚損してしまうことを有効に回避せしめている。すなわち本実施形態によれば、書類Ｐの取り扱いを良好なものとしつつ且つ書類Ｐを確実に保護し得る書類ホルダ１が実現される。
【００３９】
また本実施形態では、カバーたるストッパ５を裏表紙２に取り付けられたものとし、表表紙３をカバーと裏表紙２との間に差し込むことによって表出窓４が覆われるようにしているので、より確実に書類Ｐを保護し得るものとなっている。
【００４０】
具体的に本実施形態では、表表紙３及び書類Ｐの裏表紙２に対するずれを防ぎ得るストッパ５をカバーとして機能も兼ねさせているので、収容されている書類Ｐが不意に脱落しないように確実に位置決めし、書類Ｐの汚損や破損をより有効に回避せしめている。
【００４１】
特に、カバーたるのストッパ５の固定位置を裏表紙２における表表紙３に対し接離可能な連続する二辺に亘って設けているため、書類Ｐの位置決めを確実に書類Ｐの位置決めを確実に行い得るようになっている。
【００４２】
そして書類Ｐに記された記載内容Ｐ１を外部から視認することを抑止して書類Ｐの管理を好適に行い得るようにするために本実施形態では、表表紙３を不透明な素材により構成している。
【００４３】
＜変形例＞
【００４４】
以下、本実施形態の各変形例について説明していく。以下の各変形例については上記実施形態の構成要素に相当するものに対しては同じ記号を付すとともに、その具体的な説明を省略するものとする。
【００４５】
上記実施形態では本発明に係るカバーを、専ら書類Ｐを位置決めし得るストッパ５として機能する態様を開示したが勿論、上記実施形態は本発明のカバーを限定するものではない。
【００４６】
すなわち図８に示す本変形例に係る書類ホルダ１は、ストッパ５に替えて、保護カバーを設けたものとしている。この保護カバー５０は、上記実施形態と同じ素材である矩形状の透明シート５１を開放上縁１ａに臨む裏表紙２の箇所にのみ裏側溶着部５２により溶着して設けたものとしている。ここで、当該保護カバー５０の場合、透明シート５１の裏面側の押さえ面５４と裏表紙２の用紙支持面との間で表表紙３及び書類Ｐを挟持する点は同様であるが、表表紙３を撓ませることにより表出窓４を開閉可能に覆うものではなく、透明シート５１をめくり上げることにより、表出窓４を開閉可能に覆うものとなっている。また本変形例では貫通孔要素４０としては書類Ｐの記載内容Ｐ１を一瞥では視認し得ない形状のものとは異なり、透明シート５１が覆う領域よりも若干内側に縁部が位置づけられ表出孔４６である大丸孔４７を設けることにより、記載内容Ｐ１が明確に視認し得るものとなっている。すなわち本発明の表出窓４は保護カバーに開閉可能に覆われ得るものであれば、いかなる形状の貫通孔要素４０からなるものであっても良い。
【００４７】
これらのようなものであっても上記実施形態同様、保護カバー５０により、表出窓４から表出した書類Ｐの一部が外方からの衝撃や汚れにより破損や汚損してしまうことを有効に回避せしめている。
【００４８】
続いて上記実施形態並びに変形例ではカバーたるストッパ５や保護カバー５０を裏側溶着部５２を介して裏表紙２側に取り付けた態様を開示したが勿論、本発明のカバーは表表紙３に取り付けられたものであっても良い。
【００４９】
すなわち図９に示す本変形例に示すように、本変形例に係るカバーたる保護カバー５０は、上記変形例同様の正面視矩形状をなす透明シート５１と、この透明シート５１の上端に位置づけられ表表紙３の上端の退避縁３２に貼付された表側基端部とを有するものとしている。また本変形例ででも上記変形例の如く、透明シート５１が覆う領域よりも若干内側に縁部が位置づけられ表出孔である四角孔を設けることにより、記載内容Ｐ１が明確に視認し得るものとなっている。
【００５０】
このような構成により本変形例によれば、カバーたる保護カバー５０を簡素な構成により容易に設けることができる。
【００５１】
そして上記実施形態及び変形例ではストッパ５や保護カバーは専ら表出窓４を覆う態様のみを開示したが勿論、上記実施形態とは異なる用途に本発明に係るカバーを利用することができる。
【００５２】
すなわち図１０に示す本変形例のように、本変形例に係るストッパ５は、表出窓４から表出した付箋の反止着端たる先端を押さえ得るように構成される付箋カバー５Ｆとしての役割を奏し得る。
【００５３】
ここで、同図にて図示している付箋Ｆは、粘着剤により書類Ｐに止着し得る基端側に設けられた止着部Ｆ１と、この止着部Ｆ１が設けられた部分以外の箇所において書類Ｐに止着し得ない非止着部Ｆ２と、書類Ｐから最も離間し得る先端部Ｆ３とを有している通常のものである。
【００５４】
具体的に説明すると、この付箋カバー５Ｆは貫通孔要素４０である四角孔４８内に表出した少なくとも付箋Ｆの先端部Ｆ３を押さえ得るように構成している。このようにすることで、書類Ｐの有効な保護のみならず、好適な管理にも資する。
【００５５】
また、当該変形例では貫通孔要素４０として、開口又はスリットの一態様である四角孔４８を開示したが、付箋カバー５Ｆとして機能し得る他の態様としては、開口又はスリットの一態様である切れ目のみで構成されるスリットを一または複数形成しておき、当該スリットから表出した付箋Ｆの先端部Ｆ３を覆い得る付箋カバー５Ｆを構成しても良い。
【００５６】
以上、本発明の一実施形態並びに各変形例について説明したが、各部の具体的な構成は、上述した実施形態のみに限定されるものではなく、本発明の趣旨を逸脱しない範囲で種々変形が可能である。例えば上記実施形態ではカバーを表表紙の正面視右上部分のみを覆い得る態様のみ開示したが勿論、表出窓の位置とともに表表紙の何れの箇所を覆い得るように設けても良いことは勿論である。また、上記実施形態では専ら表表紙及び裏表紙のみを主体とした書類ホルダを開示したが勿論、表表紙と裏表紙との間に一体又は別体に構成された中仕切りを有した態様のものであっても、本発明を好適に適用し得る。
【００５７】
また例えば上記実施形態ではカバーとして透明シートを主体としたもののみを開示したが勿論、カバーの色彩は透明、半透明の如何は問わない。すなわち表出窓や紙葉類の記載内容はカバーを介して視認し得ないものであっても良い。
【００５８】
また、カバー及び表出窓の具体的な形状や素材といったその他の詳細な構成も、本発明の趣旨を逸脱しない範囲で種々変形が可能である。
【符号の説明】
【００５９】
１・・・書類ホルダ
２・・・裏表紙
３・・・表表紙
４・・・開口又はスリット（表出窓）
５・・・カバー（ストッパ）
４０・・・貫通孔要素
【図１】
2017226092.tif 000003
【図２】
2017226092.tif 000004
【図３】
2017226092.tif 000005
【図４】
2017226092.tif 000006
【図５】
2017226092.tif 000007
【図６】
2017226092.tif 000008
【図７】
2017226092.tif 000009
【図８】
2017226092.tif 000010
【図９】
2017226092.tif 000011
【図１０】
2017226092.tif 000012